(57)【要約】【課題】  クリーナー機能とゲーム機能を併せ持ち、自由に使い分け可能な携帯用クリーナーを提供すること。【解決手段】  裏面側にクリーナー部材３を有し、表面側に透明カバー５で覆われた保護空間６内を動かされることで成立するゲーム部７を有している。【選択図】  図２
0003110493.tif 000002
【実用新案登録請求の範囲】
【請求項１】
裏面側にクリーナー部材を有し、表面側に透明カバーで覆われた保護空間内を動かされることで成立するゲーム部を有していることを特徴とする携帯用クリーナー。
【請求項２】
ゲーム部が、保護空間を形成している基板側における固定ゲーム部と、適宜揺すられて保護空間内を動かされることで固定ゲーム部と関係してゲームを成立可能な可動ゲーム部材からなることを特徴とする請求項１記載の携帯用クリーナー。
【請求項３】
固定ゲーム部が基板面における半球状穴部あるいは連続状溝部もしくはピン状突部で、可動ゲーム部材が半球状穴部に入れ可能もしくは連続状溝部内を移動可能なボールあるいはピン状突部に通し可能なリングであることを特徴とする請求項２記載の携帯用クリーナー。
【考案の詳細な説明】
【技術分野】
【０００１】
本考案はクリーナー機能とゲーム機能を併せ持つ携帯用クリーナーに関する。
【背景技術】
【０００２】
先行文献１に記載されている液晶画面用クリーナーがある。構成は、液晶画面を拭くためのクリーナーであって、本体の一面側がクリーナーシートからなり、他面側が透明フィルムにて覆われており、前記クリーナーシートと前記透明フィルムとの間に、表面に図柄が形成されている図柄シートが、当該図柄が前記透明フィルム側から視認可能な形態で挟み込まれているものである。
このものではクリーナーとしての機能の他に、図柄によるアクセサリーとしての機能も有している。
ところが携帯するという優位性からの面ではインパクトがないという嫌いがあった。
【特許文献１】実用新案登録第３０９３２２６号公報
【考案の開示】
【考案が解決しようとする課題】
【０００３】
解決しようとする課題は、第１には、クリーナー機能とゲーム機能を併せ持ち、自由に使い分け可能な携帯用クリーナーを、第２には、さらに、保護空間内を動かすことで可動ゲーム部材を固定ゲーム部と関係させてゲームを楽しめる携帯用クリーナーを、第３には、さらに、ボールを穴に入れる各種のゲームやリングを突部に通す各種のゲームを楽しめる携帯用クリーナーを提供することにある。
【課題を解決するための手段】
【０００４】
本考案では前記した課題を達成するため、以下の構成にしたことを特徴とする。
１．裏面側にクリーナー部材を有し、表面側に透明カバーで覆われた保護空間内を動かされることで成立するゲーム部を有していることを特徴とする。
２．前記した１において、ゲーム部が、保護空間を形成している基板側における固定ゲーム部と、適宜揺すられて保護空間内を動かされることで固定ゲーム部と関係してゲームを成立可能な可動ゲーム部材からなることを特徴とする。
３．前記した２において、固定ゲーム部が基板面における半球状穴部あるいは連続状溝部もしくはピン状突部で、可動ゲーム部材が半球状穴部に入れ可能もしくは連続状溝部内を移動可能なボールあるいはピン状突部に通し可能なリングであることを特徴とする。
【０００５】
本考案は、形および大きさが携帯しやすいものになり、例えば、半球状、厚みがさほどない略扁平状の丸型あるいは三角，四角，五角等の多角型もしくは楕円型、その他のこれらに類する形態のものになる。
クリーナー部材としては極細繊維からなる織布あるいは不織布、その他の公知のものが挙げられる。
透明カバーは、硬質性あるいは軟質性の合成樹脂製、ガラス製の透明部材であればよく、その形態は半球形状、皿を伏せた形状、これらに類する適宜の形状になり、保護空間を形成可能な形態のものであれば良い。
ゲーム部は、保護空間内を動かされることでゲームを成立可能なものであればよく、例えば、ボール並べゲーム、リング入れゲーム、五目並べゲーム、野球ゲーム、占いゲーム、ロトシックス、ミニロト、迷路ゲーム、サイコロゲーム、ルーレットゲーム、パチンコゲーム等の各種のゲームが挙げられる。
【考案の効果】
【０００６】
Ａ．請求項１により、クリーナー機能とゲーム機能を併せ持つので、クリーナーとして使用することができるし、ゲームとして使用することもでき、自由に使い分けできる。
Ｂ．請求項２により、さらに、保護空間内を動かすことで可動ゲーム部材を固定ゲーム部と関係させてゲームをすることができる。
Ｃ．請求項３により、さらに、ボールを穴に入れる各種のゲーム、リングを突部に通す各種のゲーム、連続状溝部内にボールを移動させる各種のゲームをそれぞれ楽しむことができる。
【考案を実施するための最良の形態】
【０００７】
図１〜図２には本考案の携帯用クリーナーにおける実施の１形態を例示しており、携帯用クリーナー１は、ポケット等に出し入れできて携帯の妨げにならない大きさの円板状の合成樹脂製基板２裏面にクリーナー部材３を有している。クリーナー部材３は極細繊維からなる不織布製のもので、このクリーナー部材３と基板２との間にはウレタン樹脂材等の柔軟弾性材からなるクッション材４を内蔵し、クリーナー部材３が磨き面に弾性的に接触した状態で磨き得るように形成してある。
基板２表面には扁平半球状の透明カバー５で覆われた保護空間６を形成し、この保護空間６内にゲーム部７を有している。ゲーム部７は、保護空間６を形成している基板２面における固定ゲーム部としての縦横３列の計９個からなる半球状穴部７ａと、適宜揺すられて保護空間６内を動かされることで半球状穴部７ａに入れ可能な可動ゲーム部材としての３個のボール７ｂで形成してある。
また、基板２における一部の側縁に延出部２ａを延設し、この延出部２ａの孔２ｂに紐８等を通して携帯し易くしてある。
かかる携帯用クリーナー１では、裏面側のクリーナー部材３を用いて様々な磨き面を磨き可能である。そして、クリーナー１を適宜揺らすことで、表面側の縦横３列の計９個からなる半球状穴部７ａに３個のボール７ｂを縦あるいは横もしくは斜めに入れるゲームとして楽しめる。また、半球状穴部７ａを三種類の色違いにすれば、この色別あるいは各色にボール７ｂを入れるゲームとしても楽しめる。
【０００８】
図３の（Ａ）〜（Ｆ）および図４の（Ａ）〜（Ｅ）には本考案の携帯用クリーナーにおける実施の他の１形態を例示しており、それぞれの構成はゲーム部の構成を除いて図1の態様のものと基本的に同じであるため、共通している構成の説明は符号を準用して省略し、相違する構成について説明する。
図３の（Ａ）では、ゲーム部７は、基板２面における固定ゲーム部としての縦横３列の計９本からなるピン状突部７ｃと、適宜揺すられて保護空間６内を動かされることでピン状突部７ｃに通し可能な可動ゲーム部材としての１個のリング７ｄで形成してある。
かかる携帯用クリーナー１では、裏面側のクリーナー部材３を用いて様々な磨き面を磨き可能である。そして、クリーナー１を適宜揺らすことで、表面側の縦横３列の計９本からなるいずれかのピン状突部７ｃに１個のリング７ｄを通すゲームとして楽しめる。また、ピン状突部７ｃを番号別あるいは色違いにすれば、この番号順あるいは各色にリング７ｄを通すゲームとしても楽しめる。
【０００９】
図３の（Ｂ）では、延出部２ａを拡大して広告等のロゴ２ｃを掲載可能に形成してあり、ゲーム部７は、基板２面における固定ゲーム部としてのホームラン用，ヒット用，アウト用の各半球状穴部７ａと、適宜揺すられて保護空間６内を動かされることで各半球状穴部７ａに入れ可能な１個のボール７ｂで形成してある。
かかる携帯用クリーナー１では、裏面側のクリーナー部材３を用いて様々な磨き面を磨き可能である。そして、クリーナー１を適宜揺らすことで、表面側のホームラン用，ヒット用，アウト用の各半球状穴部７ａにボール７ｂを入れる野球ゲームとして楽しめる。
【００１０】
図３の（Ｃ）では、ゲーム部７は、基板２面における固定ゲーム部としての縦横３列の計９個からなる１番から９番まで番号表示された半球状穴部７ａと、適宜揺すられて保護空間６内を動かされることで半球状穴部７ａに入れ可能な可動ゲーム部材としての１個のボール７ｂで形成してある。
かかる携帯用クリーナー１では、裏面側のクリーナー部材３を用いて様々な磨き面を磨き可能である。そして、クリーナー１を適宜揺らすことで、表面側の１番から９番までの半球状穴部７ａに１個のボール７ｂを例えば番号順に入れるゲームとして楽しめる。
【００１１】
図３の（Ｄ）では、ゲーム部７は、基板２面における固定ゲーム部としての周方向に８分割した各ブロックの大吉，大凶，吉，中吉，末吉，？，小吉，凶と表示されている計８個からなる半球状穴部７ａと、適宜揺すられて保護空間６内を動かされることで半球状穴部７ａに入れ可能な可動ゲーム部材としての１個のボール７ｂで形成してある。
かかる携帯用クリーナー１では、裏面側のクリーナー部材３を用いて様々な磨き面を磨き可能である。そして、クリーナー１を適宜揺らすことで、表面側の大吉，大凶，吉，中吉，末吉，？，小吉，凶のいずれかの半球状穴部７ａに１個のボール７ｂを入れる占いゲームとして楽しめる。
【００１２】
図３の（Ｅ）では、ゲーム部７は、基板２面における固定ゲーム部としての１番から４３番まで番号表示された計４３個からなる半球状穴部７ａと、適宜揺すられて保護空間６内を動かされることで半球状穴部７ａに入れ可能な可動ゲーム部材としての６個のボール７ｂで形成してある。また、基板２面の余白スペースには広告等のロゴ２ｃを掲載可能にしてある。
かかる携帯用クリーナー１では、裏面側のクリーナー部材３を用いて様々な磨き面を磨き可能である。そして、クリーナー１を適宜揺らすことで、表面側の１番から４３番までの半球状穴部７ａに６個のボール７ｂを入れるロトシックスゲームとして楽しめる。
【００１３】
図３の（Ｆ）では、ゲーム部７は、基板２面における固定ゲーム部としての１番から３１番まで番号表示された計３１個からなる半球状穴部７ａと、適宜揺すられて保護空間６内を動かされることで半球状穴部７ａに入れ可能な可動ゲーム部材としての５個のボール７ｂで形成してある。また、基板２面の余白スペースには広告等のロゴ２ｃを掲載可能にしてある。
かかる携帯用クリーナー１では、裏面側のクリーナー部材３を用いて様々な磨き面を磨き可能である。そして、クリーナー１を適宜揺らすことで、表面側の１番から３１番までの半球状穴部７ａに５個のボール７ｂを入れるミニロトゲームとして楽しめる。
【００１４】
図４の（Ａ）では、ゲーム部７は、基板２面における固定ゲーム部としての迷路状溝部７ｅと、適宜揺すられて保護空間６内を動かされることで迷路状溝部７ｅ内を移動可能な可動ゲーム部材としての１個のボール７ｂで形成してある。
かかる携帯用クリーナー１では、裏面側のクリーナー部材３を用いて様々な磨き面を磨き可能である。そして、クリーナー１を適宜揺らすことで、表面側の迷路状溝部７ｅ内にボール７ｂを移動させる迷路ゲームとして楽しめる。
【００１５】
図４の（Ｂ）では、ゲーム部７は、基板２面における固定ゲーム部としての５本のピン状突部７ｃと、適宜揺すられて保護空間６内を動かされることでピン状突部７ｃに通し可能な可動ゲーム部材としての５個のリング７ｄで形成してある。
かかる携帯用クリーナー１では、裏面側のクリーナー部材３を用いて様々な磨き面を磨き可能である。そして、クリーナー１を適宜揺らすことで、表面側の５本のピン状突部７ｃに五色のリング７ｄを通して五輪のマークを作るゲームとして楽しめる。
【００１６】
図４の（Ｃ）では、ゲーム部７は、適宜揺すられて保護空間６内を動かされる３個のサイコロ７ｆで形成してある。
かかる携帯用クリーナー１では、裏面側のクリーナー部材３を用いて様々な磨き面を磨き可能である。そして、クリーナー１を適宜揺らすことで、表面側の３個のサイコロ７ｆの目を合わせたり数を競い合ったりするゲームとして楽しめる。
【００１７】
図４の（Ｄ）では、ゲーム部７は、基板２面における固定ゲーム部としてのルーレットの目７ｇと、適宜揺すられて保護空間６内を動かされることでルーレットの目７ｇに移動可能な可動ゲーム部材としての１個のボール７ｂで形成してある。
かかる携帯用クリーナー１では、裏面側のクリーナー部材３を用いて様々な磨き面を磨き可能である。そして、クリーナー１を適宜揺らすことで、表面側のルーレットの目７ｇにボール７ｂを移動させるルーレットゲームとして楽しめる。
【００１８】
図４の（Ｅ）では、ゲーム部７は、基板２面における固定ゲーム部としての半球状穴部７ａおよび印刷したパチンコ台の絵７ｈと、適宜揺すられて保護空間６内を動かされることで半球状穴部７ａに入れ可能な可動ゲーム部材としての１個のボール７ｂで形成してある。
かかる携帯用クリーナー１では、裏面側のクリーナー部材３を用いて様々な磨き面を磨き可能である。そして、クリーナー１を適宜揺らすことで、表面側のパチンコ台の絵７ｈを背景にして半球状穴部７ａにボール７ｂを入れるパチンコゲームとして楽しめる。
【図面の簡単な説明】
【００１９】
【図１】本考案の携帯用クリーナーにおける実施の１形態を例示している正面図。
【図２】縦断面図。
【図３−１】本考案の携帯用クリーナーにおける実施の他の１形態を例示しており、（Ａ）〜（Ｂ）は各正面図。
【図３−２】本考案の携帯用クリーナーにおける実施の他の１形態を例示しており、（Ｃ）〜（Ｆ）は各正面図。
【図４−１】本考案の携帯用クリーナーにおける実施の他の１形態を例示しており、（Ａ）〜（Ｄ）は各正面図。
【図４−２】本考案の携帯用クリーナーにおける実施の他の１形態を例示しており、（Ｅ）は各正面図。
【符号の説明】
【００２０】
１  携帯用クリーナー
２  基板
２ａ  延出部
２ｂ  孔
２ｃ  ロゴ
３  クリーナー部材
４  クッション材
５  透明カバー
６  保護空間
７  ゲーム部
７ａ  半球状穴部（固定ゲーム部）
７ｂ  ボール（可動ゲーム部材）
７ｃ  ピン状突部（固定ゲーム部）
７ｄ  リング（可動ゲーム部材）
７ｅ  迷路状溝部（固定ゲーム部）
７ｆ  サイコロ（ゲーム部）
７ｇ  ルーレットの目（固定ゲーム部）
７ｈ  パチンコ台の絵７ｈ（固定ゲーム部）
８  紐
【図１】
0003110493.tif 000003
【図２】
0003110493.tif 000004
【図３−１】
0003110493.tif 000005
【図３−２】
0003110493.tif 000006
【図４−１】
0003110493.tif 000007
【図４−２】
0003110493.tif 000008